(57)【要約】【課題】ユーザの手間を掛けずに容易かつ確実にセットすることが可能なロール紙を提供する。【解決手段】ロール紙１００は、用紙収容部から印刷部に至るまでに予め定められた搬送路に沿って搬送される用紙を、用紙に密着して回転することによって駆動するフィードローラを含むプリンタの用紙として利用される。ロール紙１００は、帯状の紙が当該紙の幅方向と平行な軸を中心として円筒状に巻かれたロール本体１０４と、ロール本体１０４の終端部ＴＰに接続して予め定められた長さ延びる延設部１２２とを備える。ロール本体１０４は、終端部ＴＰから予め定められた範囲に位置する紙１０３の少なくとも一部の内面１２５と、この内面１２５に対向する外面１２６とを剥離可能に固定する固定部を含む。【選択図】図３
2019031358.tif 000002
【特許請求の範囲】
【請求項１】
用紙が収容される用紙収容部から、前記用紙に印刷する印刷部に至るまでに予め定められた搬送路に沿って搬送される前記用紙を、前記用紙に密着して回転することによって駆動するフィードローラを含むプリンタの前記用紙として利用されるロール紙であって、
帯状の紙が当該紙の幅方向と平行な軸を中心として円筒状に巻かれたロール本体と、
前記ロール本体の終端部に接続して予め定められた長さ延びる延設部とを備え、
前記ロール本体は、前記終端部から予め定められた範囲に位置する紙の少なくとも一部の内面と、前記ロール本体に巻かれた紙の外面のうちの前記少なくとも一部の内面に対向する外面とを剥離可能に固定する固定部を含む
ことを特徴とするロール紙。
【請求項２】
前記延設部は、当該延設部が前記用紙収容部から繰り出される位置から、前記駆動ローラが押し付けられる位置に至るまでの前記搬送路の長さよりも長い
ことを特徴とする請求項１に記載のロール紙。
【請求項３】
前記プリンタは、前記延設部と前記ロール本体との間に差し入ることによって、前記固定部を前記ロール本体から離間させて前記搬送路へ案内するためのセパレータを有し、
前記セパレータは、前記用紙収容部に収容された場合のロール本体の軸方向から見て、当該ロール本体が収容される空間へ向かって先細り形状をなしており、それによって、前記延設部と前記ロール本体との間に差し入るテーパ部を有し、
前記延設部が前記用紙収容部から繰り出される位置は、前記テーパ部の先端の位置である
ことを特徴とする請求項２に記載のロール紙。
【請求項４】
前記固定部は、前記終端部から前記予め定められた範囲に位置する紙の幅方向の中央に、又は当該紙の幅方向の両端に設けられている
ことを特徴とする請求項１から３のいずれか１項に記載のロール紙。
【請求項５】
前記固定部は、前記終端部から前記予め定められた範囲に位置する紙の幅方向に延びる直線状、ジグザグ状又は波状に、連続的又は断続的に設けられている
ことを特徴とする請求項１から３のいずれか１項に記載のロール紙。
【発明の詳細な説明】
【技術分野】
【０００１】
本発明は、ロール紙に関する。
【背景技術】
【０００２】
各種の店舗に設置されるレジスター、ＰＯＳ（ｐｏｉｎｔ  Ｏｆ  Ｓａｌｅｓ）端末、ＡＴＭ（現金自動預け払い機）などの装置に搭載されるプリンタの印刷用紙として、帯状の用紙が円筒状に巻き取られたロール紙が一般的に利用されている。
【０００３】
この種のロール紙では、その緩みを簡単な方法で防止するため、その終端部が、シールや糊付けなどによって、紙が巻かれたロール本体に固定されていることが多い。このようなロール紙では、装置にセットする際に終端部をロール本体から引き離すために、シールや糊付け部分を剥がす手間が掛かる。
【０００４】
ロール紙の終端部に設けられたシールや糊付け部分を剥がす手間を省くため、例えば特許文献１は、尖った先端を有する爪を有する用紙端部剥離機構を提案する。特許文献１に記載の用紙端部剥離機構は、その爪の尖った先端をロール紙の表面に突き当てることによって用紙端部を剥離する。
【先行技術文献】
【特許文献】
【０００５】
【特許文献１】特開平８−２６５３６号公報
【発明の概要】
【発明が解決しようとする課題】
【０００６】
しかしながら、特許文献１に記載の用紙端部剥離機構では、用紙端部が爪によって剥離できないことがある。その場合、ユーザが剥離して、ロール紙をセットし直すなどの手間が掛かる。
【０００７】
本発明は、上記の事情に鑑みてなされたものであって、ユーザの手間を掛けずに容易かつ確実にセットすることが可能なロール紙を提供することを目的とする。
【課題を解決するための手段】
【０００８】
上記目的を達成するため、本発明に係るロール紙は、
用紙が収容される用紙収容部から、前記用紙に印刷する印刷部に至るまでに予め定められた搬送路に沿って搬送される前記用紙を、前記用紙に密着して回転することによって駆動するフィードローラを含むプリンタの前記用紙として利用されるロール紙であって、
帯状の紙が当該紙の幅方向と平行な軸を中心として円筒状に巻かれたロール本体と、
前記ロール本体の終端部に接続して予め定められた長さ延びる延設部とを備え、
前記ロール本体は、前記終端部から予め定められた範囲に位置する紙の少なくとも一部の内面と、前記ロール本体に巻かれた紙の外面のうちの前記少なくとも一部の内面に対向する外面とを剥離可能に固定する固定部を含む。
【発明の効果】
【０００９】
本発明によれば、ユーザの手間を掛けずに容易かつ確実にセットすることが可能になる。
【図面の簡単な説明】
【００１０】
【図１】本発明の一実施の形態に係るプリンタを左方から見た図である。
【図２】一実施の形態に係るプリンタを右方から見た図である。
【図３】一実施の形態に係るロール紙の未使用時の状態を示す図である。
【図４】ロール紙の延設部の先端近傍が用紙収容部から繰り出された状態を示す側面図である。
【図５】ロール紙の延設部がフィードローラ及びピンチローラに挟まれるまで繰り出された状態を示す図である。
【図６】ロール紙の延設部が繰り出されて、固定部が途中まで剥離されている状態を示す側面図である。
【図７】ロール紙の延設部が繰り出されて、固定部がすべて剥離された状態を示す側面図である。
【図８】固定部の第１の変形例を示す図である。
【図９】固定部の第２の変形例を示す図である。
【図１０】固定部の第３の変形例を示す図である。
【図１１】固定部の第４の変形例を示す図である。
【図１２】固定部の第５の変形例を示す図である。
【発明を実施するための形態】
【００１１】
本発明の一実施の形態について図面を参照して説明する。以下の説明において、前後上下左右の用語を用いて方向を説明するが、これらは、説明のために用いるのであって、本発明を限定する趣旨ではない。
【００１２】
本発明の一実施の形態に係るロール紙１００は、プリンタ１０１の用紙として、用紙収容部１０２に収容される紙である。このプリンタ１０１は、例えば、各種の店舗に設置されるレジスター、ＰＯＳ（ｐｏｉｎｔ  Ｏｆ  Ｓａｌｅｓ）端末、ＡＴＭ（現金自動預け払い機）などの各種の装置に搭載される。
【００１３】
ロール紙１００は、帯状の紙１０３がその紙１０３の幅方向と平行な軸を中心として円筒状に巻かれたロール本体１０４を有する。なお、本実施の形態に係るロール紙１００の特徴は、未使用時の構成にあり、詳細は後述する。
【００１４】
プリンタ１０１は、ロール本体１０４から繰り出される紙１０３に印刷する。プリンタ１０１は、左方から見た図である図１及び右方から見た図である図２に示すように、ロール紙１００が収容される用紙収容部１０２と、用紙に印刷する印刷部１０５と、これらを含む各部材が収容される筐体１０６を備える。また、プリンタ１０１は、モータ１０７と、複数のローラ１０８〜１１０，１１２〜１１３，１１５〜１１６と、ベルト１１１と、セパレータ１１４と、搬送ガイド１１７ａ，１１７ｂと、センサ１１８とを備える。
【００１５】
なお、図２では、図を簡明にするため、図１に示す用紙収容部１０２、筐体１０６、センサ１１８、セパレータ１１４及び搬送ガイド１１７ａ，１１７ｂを省略している。
【００１６】
用紙収容部１０２は、装置の筐体１０６に固定された部材であり、ロール本体１０４が収容される空間を形成する。本実施の形態に係る用紙収容部１０２は、左方から見て、下方へ突き出す円弧状をなすことで、ロール本体１０４を収容するための空間である下方へ突き出た凹みを形成している。ロール本体１０４は、それを構成する紙１０３の幅方向を左右方向へ向けて用紙収容部１０２の上に載せ置かれる。これによって、ロール本体１０４は、用紙収容部１０２の凹みに収容されるとともに、用紙収容部１０２によってロール本体１０４の軸を中心に回転可能に下方から支持される。
【００１７】
用紙収容部１０２には、そこに収容されたロール本体１０４から繰り出される紙１０３を通過させるための開口部１１９が下部に設けられている。
【００１８】
印刷部１０５は、用紙としてのロール本体１０４から繰り出された紙１０３に印刷する。詳細には、印刷部１０５は、ロール本体１０４から繰り出された紙１０３が搬入されると、その紙１０３に印刷して排出する。印刷部１０５は、物理的には、印刷ヘッド（図示せず）、紙１０３を搬送するローラ（図示せず）、紙１０３を切断するカッタ（図示せず）、紙１０３を案内する部材である印刷ガイド１２０などから構成される。
【００１９】
モータ１０７、モータローラ１０８、第１ガイドローラ１０９、第２ガイドローラ１１０及びベルト１１１は、用紙収容部１０２に収容されたロール本体１０４から紙１０３を繰り出し、その紙１０３を搬送路に沿って駆動する駆動力を供給するための構成である。
【００２０】
詳細には、モータ１０７は、上述の駆動力を供給する部材であり、図示しない電源から供給される電力によって回転軸が回転する。モータローラ１０８は、モータ１０７の回転軸と同軸に取り付けられたローラである。ベルト１１１は、モータ１０７から供給される駆動力を伝達する一定の幅の環をなす可撓性の部材であって、例えばゴム製、樹脂製である。
【００２１】
ベルト１１１は、モータローラ１０８、第１ガイドローラ１０９、第２ガイドローラ１１０、フィードローラ１１５（詳細後述）、伝達ローラ１１３（詳細後述）を連動して予め定められた方向へ回転させるように配置されている。第１ガイドローラ１０９及び第２ガイドローラ１１０は、ベルト１１１を案内し、ベルト１１１の張力を調整するなどのためのローラである。
【００２２】
なお、図２では、各ローラ１０８〜１１０，１１２〜１１３，１１５〜１１６の回転方向を円弧上の矢印で示しており、ベルト１１１の移動方向を直線の矢印で示している。
【００２３】
ピックアップローラ１１２及び伝達ローラ１１３は、用紙収容部１０２に収容されたロール本体１０４を回転させるための構成である。
【００２４】
詳細には、ピックアップローラ１１２は、図１に示すように、その一部が、開口部１１９の中を通じて、ロール本体１０４が収容される用紙収容部１０２の空間の中に配置されている。これにより、ピックアップローラ１１２は、用紙収容部１０２に収容されたロール本体１０４の外側周面に接触して、予め定められた方向（図１では、左回り）にロール本体１０４を回転させる。
【００２５】
伝達ローラ１１３は、ベルト１１１を介してモータ１０７の駆動力を受け、その駆動力をピックアップローラ１１２に伝達するためのローラである。
【００２６】
セパレータ１１４、フィードローラ１１５、ピンチローラ１１６及び搬送ガイド１１７ａ，１１７ｂは、ロール紙１００を構成する紙１０３が用紙収容部１０２から印刷部１０５に至るまでに通過する搬送路に沿って搬送するための構成である。
【００２７】
詳細には、セパレータ１１４は、ロール紙１００が備える延設部１２２（詳細後述）とロール本体１０４との間に差し入ることによって、固定部１２３（詳細後述）をロール本体１０４から離間させて搬送路へ案内するための部材である。
【００２８】
本実施の形態に係るセパレータ１１４は、プリンタ１０１を側方（左方又は右方）から見て、ロール本体１０４が収容される空間へ向かって先細り形状をなすテーパ部１２１を有する。図１に示すように、テーパ部１２１の先端は、開口部１１９の中に位置付けられている。このようなテーパ部１２１を有することによって、詳細後述するように、延設部１２２（詳細後述）とロール本体１０４との間に差し入ることが容易になる。
【００２９】
なお、プリンタ１０１の側方は、用紙収容部１０２に収容されたロール本体１０４を構成する紙１０３の幅方向であり、さらに換言すると、用紙収容部１０２に収容されたロール本体１０４の軸方向でもある。
【００３０】
フィードローラ１１５は、ロール本体１０４から繰り出された紙１０３に密着して回転することによって、その紙１０３を駆動する。
【００３１】
ピンチローラ１１６は、ロール本体１０４から繰り出された紙１０３を、フィードローラ１１５との間で挟むローラである。ピンチローラ１１６は、バネなどの付勢部材の作用によって、紙１０３をフィードローラ１１５に押し付ける力を紙１０３に作用させる。
【００３２】
搬送ガイド１１７ａ，１１７ｂは、用紙収容部１０２から印刷部１０５に至るまでの搬送路において、ロール本体１０４から繰り出された紙１０３を搬送路に沿って案内するための部材である。本実施の形態に係る搬送ガイド１１７ａ，１１７ｂは、フィードローラ１１５及びピンチローラ１１６によって案内されていない部分に設けられている。
【００３３】
より詳細には、搬送ガイド１１７ａは、図１に示すように、ピックアップローラ１１２とセパレータ１１４の間から、フィードローラ１１５及びピンチローラ１１６に至るまで紙１０３を案内するための搬送路を形成する。搬送ガイド１１７ｂは、フィードローラ１１５及びピンチローラ１１６から、印刷部１０５に至るまで紙１０３を案内するための搬送路を形成する。
【００３４】
センサ１１８は、ロール本体１０４から繰り出された紙１０３が搬送路の予め定められた位置を通過していることを検知する。本実施の形態では、センサ１１８は、用紙収容部１０２から印刷部１０５に至る搬送路にて、フィードローラ１１５及びピンチローラ１１６よりも下流の位置の紙１０３の通過を検知する。
【００３５】
これまで、本実施の形態に係るプリンタ１０１の構成について説明した。ここから、本実施の形態に係るロール紙１００の未使用時の構成について説明する。
【００３６】
本実施の形態に係るロール紙１００は、未使用時には、図３に示すように、ロール本体１０４に加えて、延設部１２２を備える。なお、図３中の２点鎖線は、仮想的な線である。
【００３７】
延設部１２２は、ロール本体１０４の終端部ＴＰに接続して、ロール本体１０４を構成する帯状の紙１０３の幅方向に対して垂直な方向に予め定められた長さＬ延びる。
【００３８】
延設部１２２の長さは、延設部１２２が用紙収容部１０２から繰り出される位置Ｐから、フィードローラ１１５が密着する位置Ｑに至るまでの搬送路の長さよりも長い（図６参照）。本実施の形態では、延設部１２２が用紙収容部１０２から繰り出される位置は、テーパ部１２１の先端の位置である。
【００３９】
そして、ロール本体１０４は、ロール本体１０４を構成する紙１０３の終端部ＴＰ近傍を剥離可能に固定する固定部１２３を含む。詳細には、固定部１２３は、終端部ＴＰから予め定められた範囲（固定用領域）１２５に位置する紙１０３の少なくとも一部の内面１２５と、ロール本体１０４に巻かれた紙１０３の外面１２６のうちの少なくとも一部の内面に対向する外面１２６とを剥離可能に固定する。
【００４０】
ここで、紙１０３の内面１２５は、内方を向く面、すなわちロール本体１０４の軸の方向を向く面であり、紙１０３の外面１２６は、外方を向く面、すなわち紙１０３の内面１２５と反対の面である。
【００４１】
図３において、固定用領域１２４は、終端部ＴＰと、離間部ＶＬとで挟まれた範囲である。離間部ＶＬは、幅方向に対して垂直な方向に予め定められた距離だけ終端部ＴＰからから離間した位置にあり、終端部ＴＰと平行な部分である。
【００４２】
本実施の形態に係る固定部１２３は、固定用領域１２４に位置する紙１０３の幅方向の中央に設けられている。
【００４３】
固定部１２３は、例えば糊、ボンド、両面テープなどの粘着力によって、上述のように紙１０３の内面１２５と外面１２６とを剥離可能に固定する。
【００４４】
ここで、剥離可能とは、後述するように、延設部１２２を引っ張ることで、固定部１２３及びその近傍を破ることなく、固定された紙１０３を剥離できることを意味する。このような固定方法として、上述の粘着力に限らず、例えば針なしステープラによって、紙１０３同士を圧着したり、紙１０３同士を折り込んで止めたりする方法が採用されてもよい。
【００４５】
ここまで、本発明の一実施の形態に係るロール紙１００及びこれを用紙として利用するプリンタ１０１の構成について説明した。ここから、未使用時のロール紙１００がプリンタ１０１にセットされて、図１に示すように紙１０３に印刷可能な状態になるまでの動作について、図４〜７を参照して説明する。
【００４６】
図４〜７は、未使用のロール紙１００が用紙収容部１０２にセットされてから固定部１２３が剥離されるまでの状態の変化を段階的に示す図である。図４〜７は、いずれも、用紙収容部１０２からセンサ１１８に至るまでの搬送路の近傍を拡大して示す左側面図である。また、図５〜７のロール本体１０４に付した点線の楕円Ｆ１〜Ｆ３は、固定部１２３の位置を示す。
【００４７】
未使用のロール紙１００が、延設部１２２が延びる方向を前方へ向けて用紙収容部１０２に載せ置かれる。モータ１０７が駆動すると、ピックアップローラ１１２が回転して、ロール紙１００は、例えば図４で左周りに回転する。延設部１２２はロール本体１０４に糊付けなどされておらず、最初から剥離している。そのため、延設部１２２の先端は、図４に示すように、先細り形状をなすテーパ部１２１の先端に誘導されて、セパレータ１１４の下方へ進む。これによって、延設部１２２は、ロール本体１０４から離間する。
【００４８】
延設部１２２の先端は、セパレータ１１４、搬送ガイド１１７ａに順に案内されて、図５に示すように、フィードローラ１１５及びピンチローラ１１６の間を通過する。これにより、延設部１２２は、ピックアップローラ１１２の回転力により搬送方向へ押されるとともに、フィードローラ１１５の回転力により搬送方向へ引っ張られる。
【００４９】
続けて、固定部１２３の位置がピックアップローラ１１２の位置を超えると、固定部１２３は、フィードローラ１１５の引っ張り力によってロール本体１０４から次第に剥離される。そして、
固定部１２３の少なくとも一部がセパレータ１１４に接触するまで剥離していなかった場合、固定部１２３は、図６に示すように、テーパ部１２１の先端に当たりつつ、フィードローラ１１５の引っ張り力によって剥離される。
【００５０】
固定部１２３は、フィードローラ１１５の引っ張り力によって剥離されればよいので、ロール紙１００を構成する紙１０３の引っ張りに対する耐力＞ピンチローラ１１６がフィードローラ１１５に紙１０３を押し付ける力の大きさ＞固定部１２３の固定力（本実施の形態では、粘着力）であるとよい。
【００５１】
なお、セパレータ１１４は、延設部１２２をロール本体１０４から離間させて搬送ガイド１１７ａへ案内するための部材であって、固定部１２３に接触して紙１０３同士を引き剥がすための部材ではない。従って、セパレータ１１４が有するテーパ部１２１は、その先端がロール本体１０４の外周面に接触する位置に設けられなくてもよい。この場合、延設部１２２が用紙収容部１０２から繰り出される位置Ｐは、例えば、ピックアップローラ１１２と接触する位置と考えるとよい。
【００５２】
やがて、図７に示すように、固定部はすべて剥離する。そして、ロール本体１０４を構成する紙１０３が、用紙収容部１０２から順に繰り出されて印刷部１０５へ搬送される。印刷部１０５は、搬入された紙１０３が印刷可能な場合は、その紙１０３に印刷する。また、印刷部１０５は、印字がずれるおそれがある場合は、紙１０３を切断して外部へ排出する。
【００５３】
本実施の形態によれば、ユーザなどが未使用のロール紙１００の固定部１２３を剥離する必要がなく、ユーザが剥離する手間を省くことができる。
【００５４】
また、未使用のロール紙１００が備える延設部１２２は、当初からロール本体１０４から剥離しているので、延設部１２２の先端をフィードローラ１１５及びピンチローラ１１６の間に挟んで、フィードローラで引っ張ることができる。そのため、固定部１２３で固定された紙１０３同士を確実に剥離することができる。
【００５５】
従って、ユーザの手間を掛けずに容易かつ確実にセットすることが可能になる。
【００５６】
以上、本発明の一実施の形態について説明したが、本発明は、これに限られるものではない。例えば、本発明は、これまで説明した実施の形態及び以下に説明する変形例の一部又は全部を適宜組み合わせた形態、その形態に適宜変更を加えた形態をも含む。
【００５７】
例えば実施の形態では、固定部１２３が、固定用領域１２４に位置する紙１０３の幅方向の中央に設けられる例を説明した。しかし、固定部１２３の態様は、これに限られない。
【００５８】
例えば図８に示すロール紙２００のように、固定部２２３は、固定用領域１２４に位置する紙１０３の幅方向の両端に設けられてもよい。
【００５９】
例えば図９に示すロール紙３００のように、固定部３２３は、固定用領域１２４に位置する紙１０３の幅方向に延びる直線状に連続的に設けられてもよい。例えば図１０に示すロール紙４００のように、固定部４２３は、固定用領域１２４に位置する紙１０３の幅方向に延びるジグザグ状に連続的に設けられてもよい。例えば図１１に示すロール紙５００のように、固定部５２３は、固定用領域１２４に位置する紙１０３の幅方向に延びる波状に連続的に設けられてもよい。
【００６０】
例えば図１２に示すロール紙６００のように、固定部６２３は、固定用領域１２４に位置する紙１０３の幅方向に延びる直線状に断続的に設けられてもよい。また、図示しないが、固定部は、固定用領域１２４に位置する紙１０３の幅方向に延びるジグザグ状又は波状に断続的に設けられてもよい。
【００６１】
これらの変形例によっても、実施の形態と同様の効果を奏する。
【産業上の利用可能性】
【００６２】
本発明は、例えば、レジスター、ＡＴＭ、ＰＯＳ端末など各種の装置に搭載又は接続されるプリンタの用紙として利用されるロール紙に適用することができる。
【符号の説明】
【００６３】
１００，２００，３００，４００，５００，６００  ロール紙
１０１  プリンタ
１０２  用紙収容部
１０３  紙
１０４  ロール本体
１０６  筐体
１０５  印刷部
１０７  モータ
１０８  モータローラ
１０９  第１ガイドローラ
１１０  第２ガイドローラ
１１１  ベルト
１１２  ピックアップローラ
１１３  伝達ローラ
１１４  セパレータ
１１５  フィードローラ
１１６  ピンチローラ
１１７ａ，１１７ｂ  搬送ガイド
１１８  センサ
１１９  開口部
１２０  印刷ガイド
１２１  テーパ部
１２２  延設部
１２３，２２３，３２３，４２３，５２３，６２３  固定部
１２４  固定用領域
１２５  内面
１２６  外面
【図１】
2019031358.tif 000003
【図２】
2019031358.tif 000004
【図３】
2019031358.tif 000005
【図４】
2019031358.tif 000006
【図５】
2019031358.tif 000007
【図６】
2019031358.tif 000008
【図７】
2019031358.tif 000009
【図８】
2019031358.tif 000010
【図９】
2019031358.tif 000011
【図１０】
2019031358.tif 000012
【図１１】
2019031358.tif 000013
【図１２】
2019031358.tif 000014